(57)【要約】【課題】  指導者及び児童生徒自身が、学習履歴を俯瞰して把握することができる教育支援システム及び端末装置を提供する。【解決手段】  デジタルコンテンツのテキストデータを表示する端末表示部４１と、デジタルコンテンツの音声データを音声出力する音声出力部４７と、フレーズごとに再生ログデータを記憶する再生ログデータ記憶部４６と、再生ログデータを送信する送信部４２とを有する複数の端末装置４０と、各端末装置４０に配信するデジタルコンテンツが記憶されているデジタルコンテンツ記憶部６０と、各端末装置４０から送信された再生ログデータを受信する受信部６２と、サーバ表示部６３と、受信した再生ログデータを再生回数に変換するデータ変換部６４と、デジタルコンテンツの各フレーズにおける文字の設定を再生回数ごとに異ならせたデジタルコンテンツをサーバ表示部６３に表示させるように制御する表示制御部６４とを有するサーバ装置３０とを具備する。【選択図】図６
2016218229.tif 000002
【特許請求の範囲】
【請求項１】
テキストデータ及び該テキストデータを読み上げてなる音声データを含むデジタルコンテンツのテキストデータを表示する端末表示部と、デジタルコンテンツの音声データを音声出力する音声出力部と、前記端末表示部及び前記音声出力部によって再生されたデジタルコンテンツのフレーズごとに、少なくとも該フレーズのＩＤ情報及び該フレーズの再生開始時間を再生ログデータとして記憶する再生ログデータ記憶部と、該再生ログデータ記憶部に記憶された再生ログデータを送信する送信部と、を有する１又は複数の端末装置と、
各前記端末装置から送信された再生ログデータを受信する受信部と、該受信部によって受信された各前記端末装置の再生ログデータをデジタルコンテンツのフレーズごとに再生回数に変換するデータ変換部と、サーバ表示部と、前記データ変換部によって変換されたデジタルコンテンツのフレーズごとの再生回数に基づいて、デジタルコンテンツの各フレーズにおける文字の設定を再生回数ごとに異ならせたデジタルコンテンツを前記サーバ表示部に表示させるように制御する表示制御部と、を有するサーバ装置とを具備することを特徴とする教育支援システム。
【請求項２】
前記表示制御部は、
デジタルコンテンツの各フレーズにおける文字の背景色を再生回数ごとに異ならせたデジタルコンテンツを前記サーバ表示部に表示させるように制御することを特徴とする請求項１記載の教育支援システム。
【請求項３】
前記再生ログデータ記憶部に、同一のデジタルコンテンツに対して再生日時が異なる１又は複数の再生ログデータが記憶されている場合、
前記表示制御部は、
操作者が同一のデジタルコンテンツに対して再生日時が異なる１又は複数の再生ログデータに対して再生日時の範囲を指定又はデジタルコンテンツ内のフレーズ範囲を指定した時に、指定された範囲の再生ログデータにおける再生回数を加算し、デジタルコンテンツの各フレーズにおける文字の設定を再生回数ごとに異ならせたデジタルコンテンツを前記サーバ表示部に表示させるように制御することを特徴とする請求項１又は請求項２記載の教育支援システム。
【請求項４】
前記表示制御部は、
デジタルコンテンツの各フレーズにおける文字の設定を再生回数ごとに異ならせたデジタルコンテンツをブラウザによって前記サーバ表示部に表示させることを特徴とする請求項１〜請求項３のうちのいずれか１項記載の教育支援システム。
【請求項５】
テキストデータ及び該テキストデータを読み上げてなる音声データを含むデジタルコンテンツのテキストデータを表示する表示部と、
デジタルコンテンツの音声データを音声出力する音声出力部と、
前記端末表示部及び前記音声出力部によって再生されたデジタルコンテンツのフレーズごとに、少なくとも該フレーズのＩＤ情報及び該フレーズの再生開始時間を再生ログデータとして記憶する再生ログデータ記憶部と、
該再生ログデータ記憶部の再生ログデータをデジタルコンテンツのフレーズごとに再生回数に変換するデータ変換部と、
前記データ変換部によって変換されたデジタルコンテンツのフレーズごとの再生回数に基づいて、デジタルコンテンツの各フレーズにおける文字の設定を再生回数ごとに異ならせたデジタルコンテンツを前記表示部に表示させるように制御する表示制御部と、を具備することを特徴とする端末装置。
【請求項６】
前記表示制御部は、
デジタルコンテンツの各フレーズにおける文字の背景色を再生回数ごとに異ならせてデジタルコンテンツを前記表示部に表示させるように制御することを特徴とする請求項５記載の端末装置。
【請求項７】
前記再生ログデータ記憶部に、同一のデジタルコンテンツに対して再生日時が異なる１又は複数の再生ログデータが記憶されている場合、
前記表示制御部は、
操作者が同一のデジタルコンテンツに対して再生日時が異なる１又は複数の再生ログデータに対して再生日時の範囲を指定又はデジタルコンテンツのフレーズ範囲を指定した時に、指定された範囲の再生ログデータにおける再生回数を加算し、デジタルコンテンツの各フレーズにおける文字の設定を再生回数ごとに異ならせたデジタルコンテンツを前記サーバ表示部に表示させるように制御することを特徴とする請求項５又は請求項６記載の端末装置。
【請求項８】
前記表示制御部は、
デジタルコンテンツの各フレーズにおける文字の設定を再生回数ごとに異ならせたデジタルコンテンツをブラウザによって前記表示部に表示させることを特徴とする請求項５〜請求項７のうちのいずれか１項記載の端末装置。
【発明の詳細な説明】
【技術分野】
【０００１】
本発明は、学習用デジタルコンテンツによる教育支援システム及び教育支援システムの端末装置に関する。
【背景技術】
【０００２】
電子データとしてあらかじめ記憶されている電子図書を音声として再生する装置が従来から知られている（例えば、特許文献１参照）。この特許文献１に開示されている装置は、ＤＡＩＳＹ（Ｄｉｇｉｔａｌ    Ａｃｃｅｓｓｉｂｌｅ    Ｉｎｆｏｒｍａｔｉｏｎ  ＳＹｓｔｅｍ）規格によるデジタルコンテンツを再生する装置であり、特に視覚に障害がある人たちが読書を楽しむことが出来るように、本に記載されている文章情報を音声として読み上げることができる装置である。
【０００３】
上記のようなデジタルコンテンツの再生において、近年のネットワーク環境の整備に伴ってe-learningが普及しつつある（例えば、特許文献２参照）。
e-learningの利用方法として、デジタルコンテンツをe-learningによって学習者に配信し、学習者が一人ひとり操作する端末を操作し、学習用のデジタルコンテンツを再生することが採用できる。
【先行技術文献】
【特許文献】
【０００４】
【特許文献１】特開２０００−０５７７５２号公報
【特許文献２】特開２００４−６１７８８号公報
【発明の概要】
【発明が解決しようとする課題】
【０００５】
学習者が学習用デジタルコンテンツを再生して学習を行う場合、学習者を指導する指導者側で、学習履歴を俯瞰して把握する必要性がある。
また、学習者自身も、学習履歴を俯瞰して把握することで自身の読解力の把握をしやすい。
【０００６】
そこで、本発明は上記課題を解決すべくなされ、その目的とするところは、指導者及び学習者自身が、学習履歴を俯瞰して把握することができる教育支援システム及び端末装置を提供する。
【課題を解決するための手段】
【０００７】
本発明にかかる教育支援システムによれば、テキストデータ及び該テキストデータを読み上げてなる音声データを含むデジタルコンテンツのテキストデータを表示する端末表示部と、デジタルコンテンツの音声データを音声出力する音声出力部と、前記端末表示部及び前記音声出力部によって再生されたデジタルコンテンツのフレーズごとに、少なくとも該フレーズのＩＤ情報及び該フレーズの再生開始時間を再生ログデータとして記憶する再生ログデータ記憶部と、該再生ログデータ記憶部に記憶された再生ログデータを送信する送信部と、を有する１又は複数の端末装置と、各前記端末装置から送信された再生ログデータを受信する受信部と、該受信部によって受信された各前記端末装置の再生ログデータをデジタルコンテンツのフレーズごとに再生回数に変換するデータ変換部と、サーバ表示部と、前記データ変換部によって変換されたデジタルコンテンツのフレーズごとの再生回数に基づいて、デジタルコンテンツの各フレーズにおける文字の設定を再生回数ごとに異ならせたデジタルコンテンツを前記サーバ表示部に表示させるように制御する表示制御部と、を有するサーバ装置と、を具備することを特徴としている。
この構成を採用することによって、指導者側でデジタルコンテンツの各フレーズのうち、再生回数の少ない箇所、多い箇所が一目で把握できるため、学習履歴を俯瞰して把握することができる。なお、本明細書中でいう「文字の設定」とは、文字の背景色、文字の大きさ、フォント、色、アンダーライン、影付き、等が含まれる概念である。
また、フレーズとは、送りや戻し操作の最小単位である。
【０００８】
また、前記表示制御部は、デジタルコンテンツの各フレーズにおける文字の背景色を再生回数ごとに異ならせたデジタルコンテンツを前記サーバ表示部に表示させるように制御することを特徴としてもよい。
文字の背景色を再生回数ごとに異ならせるようにすれば、例えば文字の色を変更したり、アンダーラインを引いたり、あるいは文字の大きさを変える場合よりも、フレーズごとの再生回数の違いを容易に把握することができる。
【０００９】
また、前記再生ログデータ記憶部に、同一のデジタルコンテンツに対して再生日時が異なる１又は複数の再生ログデータが記憶されている場合、前記表示制御部は、操作者が同一のデジタルコンテンツに対して再生日時が異なる１又は複数の再生ログデータに対して再生日時の範囲を指定又はデジタルコンテンツのフレーズ範囲を指定した時に、指定された範囲の再生ログデータにおける再生回数を加算し、デジタルコンテンツの各フレーズにおける文字の設定を再生回数ごとに異ならせたデジタルコンテンツを前記サーバ表示部に表示させるように制御することを特徴としてもよい。
この構成によれば、所定の期間内における学習履歴又は特定のフレーズにおける学習履歴を俯瞰して把握することができる。
【００１０】
また、前記表示制御部は、デジタルコンテンツの各フレーズにおける文字の設定を再生回数ごとに異ならせたデジタルコンテンツをブラウザによって前記サーバ表示部に表示させることを特徴としてもよい。
このように、通常のパソコン等に装備されているブラウザで表示できるようにすれば、表示のために新たなソフトウェア等を導入することが無く簡易に表示が行える。
【００１１】
本発明にかかる端末装置によれば、テキストデータ及び該テキストデータを読み上げてなる音声データを含むデジタルコンテンツのテキストデータを表示する表示部と、デジタルコンテンツの音声データを音声出力する音声出力部と、前記端末表示部及び前記音声出力部によって再生されたデジタルコンテンツのフレーズごとに、少なくとも該フレーズのＩＤ情報及び該フレーズの再生開始時間を再生ログデータとして記憶する再生ログデータ記憶部と、該再生ログデータ記憶部の再生ログデータをデジタルコンテンツのフレーズごとに再生回数に変換するデータ変換部と、前記データ変換部によって変換されたデジタルコンテンツのフレーズごとの再生回数に基づいて、デジタルコンテンツの各フレーズにおける文字の設定を再生回数ごとに異ならせたデジタルコンテンツを前記表示部に表示させるように制御する表示制御部と、を具備することを特徴としている。
この構成を採用することによって、学習者側でデジタルコンテンツの各フレーズのうち、再生回数の少ない箇所、多い箇所が一目で把握できるため、学習履歴を俯瞰して把握することができる。
【発明の効果】
【００１２】
本発明によれば、学習履歴を俯瞰して把握することができる。
【図面の簡単な説明】
【００１３】
【図１】本発明の教育支援システムの全体構成を示す説明図である。
【図２】端末装置の内部構成を示すブロック図である。
【図３】端末装置の表示部を示す説明図である。
【図４】サーバ装置の内部構成を示すブロック図である
【図５】再生ログデータの例を示す説明図である。
【図６】再生回数に応じて文字の設定を変更したデジタルコンテンツの例を示す説明図である。
【図７】端末装置の他の構成を示すブロック図である。
【発明を実施するための形態】
【００１４】
本発明にかかる教育支援システムの全体構成を図１に示す。
教育支援システム２０は、1又は複数のサーバ装置３０と、１又は複数の端末装置４０とを備えている。図１では、1台のサーバ装置３０に、複数の端末装置４０がインターネット等のネットワーク２１を介して接続されているところを示している。
【００１５】
教育支援システム２０は、学習者一人一人が少なくとも１台の端末装置４０を所有しているものであり、各端末装置４０において学習用デジタルコンテンツをサーバ装置３０からダウンロードして各学習者が学習用デジタルコンテンツを視聴するものである。学習用デジタルコンテンツとしては、ＤＡＩＳＹ規格による電子図書を採用している。学習者が端末装置４０を操作して学習用デジタルコンテンツを再生することで、学習用デジタルコンテンツの文章部分が端末装置に表示されるとともに表示された文章部分に対応する音声データを端末装置が読み上げるように動作する。
また、サーバ装置３０は、学習者の指導者又は教師など、学習者を束ねる立場にある者が操作可能とするものである。
【００１６】
端末装置４０の構成を示す図２に基づいて、端末装置４０について説明をする。
端末装置４０は、インターネットに接続可能な携帯端末であるタブレット端末（スレート型ＰＣ）を採用することができる。
端末装置４０は、タッチパネルを採用した表示部４１と、インターネットに接続するためのインターフェース部４２と、ＣＰＵ及びメモリ等から構成される制御部４４と、音声を出力するスピーカ４７とを備えている。なお、特許請求の範囲の端末表示部は、上記の表示部４１が該当する。また、特許請求の範囲の音声出力部は、上記のスピーカ４７が該当する。
【００１７】
端末装置４０は、サーバ装置３０に記憶されているデジタルコンテンツを再生する再生ソフトウェアＡを備えている。再生ソフトウェアは、サーバ装置３０からダウンロードしたデジタルコンテンツを再生可能（ダウンロードしながら再生するストリーミング再生を含む）な機能を有するプログラムから構成されている。再生ソフトウェアＡは、半導体メモリなどの記憶部４６に記憶されており、制御部４４が再生ソフトウェアＡを読み出して実行することでデジタルコンテンツの再生が行われる。
【００１８】
端末装置４０は、少なくとも文字書式、文字の色、及び音声出力条件を含む再生時設定情報を設定することができる。この再生時設定情報に基づいてデジタルコンテンツの再生が行われる。再生時設定情報として、さらに具体的には、文字の書体、文字の大きさ、音声再生速度などを挙げることができる。
【００１９】
端末装置４０は、再生時設定情報を端末装置４０の操作者（学習者）によって設定可能であって、設定された条件でデジタルコンテンツの表示及び音声出力を実行させる再生条件設定部４９を有している。
なお、再生条件設定部４９は、端末装置４０の操作者（学習者）だけでなく、サーバ装置３０からも操作可能に設けられている。すなわち、サーバ装置３０の操作者（指導者）によって、各学習者に適した再生時の設定を行うことができ、学習効果を上げることができる。
【００２０】
本実施形態におけるデジタルコンテンツは、電子図書であるとする。電子図書の規格としては、デジタル録音図書であるＤＡＩＳＹ規格などが代表的である。
ＤＡＩＳＹ規格の電子図書データは、ｓｍｉｌ（Synchronized Multimedia Integration Language）ファイルと、見出し情報が記述されたｎｃｃファイル又はｎｃｘファイルと、表示部４１に表示可能なテキストデータを記述したｈｔｍｌファイル又はｘｍｌファイルと、テキストデータを読み上げた音声データファイルとを備えている。
【００２１】
ｓｍｉｌファイルは、マークアップ言語の一種であり、ｈｔｍｌファイル又はｘｍｌファイル内の各フレーズの表示する順番と、各フレーズに対応する音声データファイルの再生開始・終了時間が記述されている。
【００２２】
端末装置４０において、制御部４４が再生ソフトウェアＡを実行すると、所定のデジタルコンテンツのフレーズごとにテキストデータが表示部４１に表示される。また、端末装置の操作者（学習者）が後述する再生ボタン５０をタップすることにより、表示部４１に表示されているテキストデータに該当する部分の音声データファイルがテキストデータと同期してスピーカ４７から音声出力される。
【００２３】
再生ソフトウェアＡの実行に伴い、端末装置４０の表示部４１には、例えば図３に示すような画面が表示される。
この図に示す例では、右から左方向にデジタルコンテンツ中の文章の一部が表示されている。また、文章の下部には、再生ボタン５０、早送りボタン５２、巻き戻しボタン５４、次ページボタン５６、前ページボタン５８が表示されている。
【００２４】
表示部４１は、タッチパネルであるので、操作者（学習者）が、上記の再生ボタン５０、早送りボタン５２、巻き戻しボタン５４、次ページボタン５６、前ページボタン５８のいずれか、または聞きたいフレーズを直接タップすることによって、再生ソフトウェアＡは各動作を実行する。
【００２５】
例えば、操作者（学習者）が再生ボタン５０をタップすると、再生ソフトウェアＡは表示部４１に表示されている文章に対応する音声データファイルを再生する。
音声データファイルの再生が終了すると、操作者（学習者）は、理解が進まなかった場合は、巻き戻しボタン５４をタップすることによって、もう一度同じフレーズを再生できる。
また、次のページに進む場合には、次ページボタン５６をタップすることで、再生ソフトウェアは、次のフレーズの文章を表示部４１に表示させる。
【００２６】
音声データファイルの再生が行われると、１つのフレーズごとのフレーズのＩＤ情報と再生開始時間が再生ログデータとして記憶部４６に記憶される。なお、その他に再生ログデータとしては、日時、端末装置４０において操作された操作情報（再生ボタンや停止ボタンなどの操作）、再生情報（フレーズの内容）、サーバ装置３０からの設定値変更情報などを含むデータ等も含む。
【００２７】
再生ソフトウェアは、ピンチイン及びピンチアウトについても対応可能である。操作者（学習者）がピンチインをすると、再生ソフトウェアが表示部４１に表示されている各文字を縮小し、さらに多くの文字を表示させる。したがって、１画面当たりにおける表示文字数が増加することとなる。
一方、操作者（学習者）がピンチアウトをすると、再生ソフトウェアが表示部４１に表示されている各文字を拡大し、表示されている文字数を減らす。したがって、１画面当たりにおける表示文字数が減少することとなる。
【００２８】
ピンチイン又はピンチアウトすることに伴って、１画面ごとの再生時間も異なってくるが、再生ログデータとしては、１つのフレーズ単位で再生時間とともに画面に表示されている先頭のフレーズと最後のフレーズもログとして記憶することで、ピンチイン又はピンチアウトの操作を記録することができる。同様に、スクロールの操作も記録することができる。
【００２９】
記憶部４６に記憶された再生ログデータは、１つの学習用デジタルコンテンツの再生が終了したのちに、まとめてサーバ装置３０へ送信される。再生ログデータの送信タイミングとしては、再生ソフトウェアＡが再生終了のタイミングで送信を行えばよい。
ただし、再生ログデータのサーバ装置３０への送信は、１つフレーズにおける再生時間の検出が終了する都度、フレーズごとの再生ログデータを送信してもよい。
【００３０】
次に、サーバ装置３０の構成を図４に示す。
サーバ装置３０は一般的なコンピュータ（ＰＣ）を採用することができる。サーバ装置３０は、ＨＤＤ等から構成される記憶部６０と、インターネットに接続するためのインターフェース部６２と、ＣＰＵ及びメモリ等から構成される制御部６４と、モニタ等で構成される表示部６３と、マウス及びキーボード等を含む入力部６５とを備えている。
【００３１】
なお、特許請求の範囲のサーバ表示部は、上記の表示部６３が該当し、特許請求の範囲の受信部は、上記のインターフェース部６２が該当し、特許請求の範囲の表示制御部は、上記の制御部６４が後述する表示ソフトウェアを実行することで実現される。
【００３２】
サーバ装置３０では、各端末装置４０から送信されてきた再生ログデータをインターフェース部６２で受信し、記憶部６０に記憶している。
サーバ装置３０の制御部６４は、記憶部６０に記憶されている再生ログデータ（少なくともフレーズごとのＩＤ情報及びフレーズごとの再生開始時間を含む）を、フレーズごとの再生回数に変換する。したがって、本実施形態の制御部６４が、特許請求の範囲でいうデータ変換部に該当する。
【００３３】
ここで、再生ログデータの構成を図５に示す。
各端末装置４０にて生成される再生ログデータは、何らかの操作ボタンが操作された日時、操作の内容、端末装置４０の状態、タイトル名、再生ファイル名、フレーズＩＤ、該当フレーズのテキストデータが含まれている。
制御部６４は、上記のような再生ログデータから、フレーズごとのファイル名に関して同じファイル名がいくつ存在するかに基づいて、各フレーズの再生回数を算出する。
【００３４】
そして、制御部６４は、再生ログデータから算出された、各フレーズの再生回数に基づき、記憶部６０に記憶されているデジタルコンテンツの文字の設定を変更して表示部６３に、文字の設定を変更したデジタルコンテンツを表示させる。再生回数に応じて文字の設定を変更したデジタルコンテンツの表示は、表示ソフトウェアＢが実行する。本実施形態の制御部６４が、特許請求の範囲でいう表示制御部に該当する。
【００３５】
図６に、表示部に表示されるデジタルコンテンツの一例を示す。
図６に示す例の場合、制御部６４は、記憶部６０から読み出したデジタルコンテンツの文字の背景色を再生回数ごとに変更して、変更後のデジタルコンテンツを表示部４１に表示させている。
【００３６】
図６の例では、再生回数０回、１回、２回、３回、４回以上の５段階に分け、制御部６４は再生回数０回のフレーズは背景色無し、１回〜４回では再生回数が多くなるにしたがって背景色が薄い色から濃い色になるように設定している。
なお、再生回数４回以上の場合は、背景色がきわめて濃くなるため文字の方を白色にして、文字が背景色で目立なくなって読めなくなることを防止している。
【００３７】
なお、表示ソフトウェアＢとしては、ブラウザを用いるとよい。ブラウザを用いることにより、記憶部６０にはデジタルコンテンツをｈｔｍｌやｘｍｌ等のマークアップ言語で記憶させておく必要がある。
制御部６４は、算出した各フレーズにおける背景色を変更する際には、デジタルコンテンツを記述したマークアップ言語において該当箇所のタグを変更することにより背景色を変更することができる。
このように、表示ソフトウェアＢをブラウザにすることにより、通常のパソコン等にあらかじめ搭載されている場合も多く、またデジタルコンテンツの文字の設定変更を容易に行うことができる。
【００３８】
なお、図６の例では、制御部６４は、再生回数が多くなるにしたがって、該当フレーズの文字の背景色を薄い色から濃い色にするように変更したが、制御部６４は、再生回数が多くなるにしたがって、該当フレーズの文字の背景色を暖色から寒色となるように変更するようにしてもよい。このように背景色を変更しても再生回数の識別が容易となる。
また、制御部６４は、文字の背景色を同じ系統色の濃淡で変更しつつ、且つ別の系統の色をいずれかの再生回数のフレーズの背景色に採用してもよい。
【００３９】
さらに、再生回数に基づく各フレーズにおける文字の設定変更は、背景色を変更するものには限定されない。
例えば、制御部６４は、文字の大きさを変更してもよい。この場合、再生回数が多くなるにしたがって文字が大きくなるように変更すればよい。
また、制御部６４は、文字自体の色を変更してもよい。この場合、再生回数が多くなるにしたがって文字の色を濃くする、あるいは暖色系から寒色系にするといった変更が考えられる。
【００４０】
なお、上述してきた再生回数によるデジタルコンテンツの文字の設定の変更は、1つの再生ログデータに基づくものではなく、複数の再生ログデータにおける再生回数を総合したものを基準にしてもよい。
すなわち、同じ単元を複数回学習した場合には、複数の再生ログデータが生成されるが、複数回学習した結果をまとめた再生回数によって単元全体の学習履歴を俯瞰して把握することができる。
なお、同じ単元を複数回学習した場合であっても、これらを総合した再生回数ではなく、複数回の中からいずれか１又は複数の再生ログデータを選択してデジタルコンテンツの文字の設定を変更してもよい。
【００４１】
１又は複数の再生ログデータが生成されている場合に、制御部６４は操作者によって指定された範囲（例えば、日時やフレーズ）を選択し、１又は複数の再生ログデータのうち選択された箇所の再生回数を加算し、この加算された再生回数に基づいて文字の設定を変更してもよい。
上述のように、日時の範囲を指定して再生ログデータの再生回数を加算し、これに基づいて文字の設定を変更することで、所定の期間内における学習履歴を俯瞰して把握することができる。また、フレーズを選択して再生ログデータの選択されたフレーズの再生回数を加算し、これに基づいて文字の設定を変更することで、特定のフレーズにおける学習履歴を俯瞰して把握することができる。
【００４２】
次に、端末装置４０自体が、図６のような表示を行う例について説明する。
この場合の端末装置４０の構成を図７に示す。なお、上述した構成要素と同一の構成要素については同一の符号を付し、説明を省略する場合もある。
【００４３】
端末装置４０の制御部４４は、記憶部４６に記憶されている再生ログデータから、フレーズごとのファイル名に関して同じファイル名がいくつ存在するかに基づいて、各フレーズの再生回数を算出する。
【００４４】
そして、制御部４４は、再生ログデータから算出された、各フレーズの再生回数に基づき、記憶部４６に記憶されているデジタルコンテンツの文字の設定を変更して表示部４１に、文字の設定を変更したデジタルコンテンツを表示させる。再生回数に応じて文字の設定を変更したデジタルコンテンツの表示は、表示ソフトウェアＢが実行し、図６に示した内容と同一の内容が表示される。本実施形態の制御部４４が、特許請求の範囲でいう表示制御部に該当する。
【００４５】
なお、表示ソフトウェアＢとしては、ブラウザを用いるとよい。ブラウザを用いることにより、記憶部４６にはデジタルコンテンツをｈｔｍｌやｘｍｌ等のマークアップ言語で記憶させておく必要がある。
制御部４４は、算出した各フレーズにおける背景色を変更する際には、該当箇所のタグを変更することにより背景色を変更することができる。
このように、表示ソフトウェアＢをブラウザにすることにより、通常のタブレット等にあらかじめ搭載されている場合も多く、またデジタルコンテンツの文字の設定変更を容易に行うことができる。
【００４６】
また、端末装置４０においても、再生回数によるデジタルコンテンツの文字の設定の変更は、1つの再生ログデータに基づくものではなく、複数の再生ログデータにおける再生回数を総合したものを基準にしてもよい。
すなわち、同じ単元を複数回学習した場合には、複数の再生ログデータが生成されるが、複数回学習した結果をまとめた再生回数によって単元全体の学習履歴を俯瞰して把握することができる。
なお、同じ単元を複数回学習した場合であっても、これらを総合した再生回数ではなく、複数回の中からいずれか１又は複数の再生ログデータを選択してデジタルコンテンツの文字の設定を変更してもよい。
【００４７】
このように１又は複数の再生ログデータが生成されている場合に、制御部４４は操作者によって指定された範囲（例えば、日時やフレーズ）を選択し、再生ログデータのうち選択された箇所の再生回数を加算し、この加算された再生回数に基づいて文字の設定を変更してもよい。
【００４８】
なお、上述してきた実施形態は、録音された音声データを再生するものについて説明してきた。しかし、録音された音声データが無く、テキストデータを音声データに変換するＴＴＳ（ｔｅｘｔ  ｔｏ  ｓｐｅｅｃｈ）システムを採用することも可能である。ただし、ＴＴＳシステムを採用する場合、端末装置４０においてＴＴＳ機能を備えた制御部を設けることが必要となる。
【００４９】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００５０】
２０   教育支援システム
２１   ネットワーク
３０   サーバ装置
４０   端末装置
４１   表示部
４２   インターフェース部
４４   制御部
４６   記憶部
４７   スピーカ
４９   再生条件設定部
５０   再生ボタン
５２   早送りボタン
５４   巻き戻しボタン
５６   次ページボタン
５８   前ページボタン
６０   記憶部
６２   インターフェース部
６３   表示部
６４   制御部
６５   入力部
【図１】
2016218229.tif 000003
【図２】
2016218229.tif 000004
【図５】
2016218229.tif 000005
【図３】
2016218229.tif 000006
【図４】
2016218229.tif 000007
【図６】
2016218229.tif 000008
【図７】
2016218229.tif 000009